(57)【要約】      （修正有）【課題】剣道防具等を容易に乾燥し、かつ、衛生的にできる乾燥庫を提供する。【解決手段】被乾燥物品を収納する収納スペース１０と被乾燥物を乾燥するための加熱器１６と被乾燥物の殺菌を行う殺菌用照明器１２とを備え、収納スペース１０内面を金属反射面とする乾燥庫。この乾燥庫は各種スポーツ用具等の乾燥に使用でき、とくに剣道防具の乾燥に好適に用いられる。また、外側面が木質とされることで内部の熱が外表面に伝達されにくくて安全であるとともに、剣道防具乾燥用としてデサイン性に優れる乾燥庫が得られる。【選択図】図３
0003151829.tif 000002
【実用新案登録請求の範囲】
【請求項１】
被乾燥物品を収納する収納スペースと前記被乾燥物を乾燥するための加熱器と前記被乾燥物の殺菌を行う殺菌用照明器とを備え、前記収納スペース内面を金属反射面とすることを特徴とする乾燥庫。
【請求項２】
前記金属反射面に乱反射加工が施されてなる請求項１記載の乾燥庫。
【請求項３】
前記被乾燥物品が剣道防具である請求項１または２記載の乾燥庫。
【請求項４】
外側面が木質である請求項１、２または３記載の乾燥庫。
【考案の詳細な説明】
【技術分野】
【０００１】  この考案は、剣道防具等の乾燥に好適に用いられる乾燥庫に関する。
【背景技術】
【０００２】  最近では中学校において剣道や柔道が体育科目として広く取り入れられてきている。剣道の場合には「面」や「甲手」の剣道防具を身に付ける必要があり、これらは通常学校側が提供する。使用した剣道防具は汗が付いてそのまま次の者が使用するのは衛生上好ましくない。しかしながら、短時間において多数の剣道防具を乾燥した衛生的な状態で提供するのは困難な問題がある。
【考案の開示】
【考案が解決しようとする課題】
【０００３】  この考案は上記の事情に鑑みて行ったもので、剣道防具等を容易に乾燥し、かつ、衛生的とできる乾燥庫を提供することを目的とする。
【課題を解決するための手段】
【０００４】  この考案では、被乾燥物品を収納する収納スペースと前記被乾燥物を乾燥するための加熱器と前記被乾燥物の殺菌を行う殺菌用照明器とを備え、前記収納スペース内面を金属反射面とすることを特徴とする乾燥庫を提供する。【０００５】  この考案の乾燥庫によれば、収納スペースに納められた被乾燥物品が加熱器により加熱されて乾燥されるとともに、殺菌用照明器の照明により殺菌される。その際収納スペースの内面が金属反射面とされていることで加熱器からの熱線、殺菌用照明器からの照明光がその金属反射面で反射されて被乾燥物品に照射され、乾燥及び殺菌が効率良くなされる。とくに、金属反射面に乱反射加工が施されてなる構成とされることで、全ての方向から被乾燥物品に熱線、照明光が照射され、これにより、さらに乾燥及び殺菌が効率良くなされる。殺菌がなされることで被乾燥物品は衛生的となるとともに、かつ、その脱臭効果が果たされる。【０００６】  この乾燥庫は各種スポーツ用具等の乾燥に使用でき、とくに剣道防具の乾燥に好適に用いられる。また、外側面が木質とされることで内部の熱が外表面に伝達されにくくて安全であるとともに、剣道防具乾燥用としてデサイン性に優れる乾燥庫が得られる。
【考案の効果】
【０００７】  この考案の乾燥庫によれば、剣道防具等を容易に乾燥できるとともに衛生的とすることができ、これにより、学校等において手間を少なくして剣道防具等を常に好適な状態として生徒に提供できるようになる。
【考案を実施するための形態】
【０００８】  図１はこの考案の乾燥庫の正面側斜視図、図２は同扉を取り外した状態の正面側斜視図、図３は内部構成を示す平面構成図である。
【０００９】  乾燥庫１は方形で、天板２と底板３と両側板４、４と前面開口に設けられる扉５とによりその外形が構成され、背面の開口にはその全体にわたって網体６が取り付けられている。内部奥方には内部空間を前後に仕切る奥板７が設けられ、その奥板７、上記天板２、底板３、両側板４、４、扉５それぞれに囲まれるスペースが剣道防具（被乾燥物品）の収納スペース１０とされている。収納スペース１０の両側上部それぞれには、両側板４、４内面に取り付けられて紫外線ランプ（殺菌用照明器）１２、１２のそれぞれが取り付けられている。
【００１０】  上記奥板７には中央に吸気開口１３が、その両側に排気開口１４、１４が設けられ、また、奥板７の背部には一対の仕切り板１５、１５が前後方向に設けられ、それら仕切り壁１５、１５が設けられることで、奥板７の背部中央に上記吸気開口１３に連続する吸気空間１７が、その両側に上記排気開口１４、１４それぞれに連続する排気空間１８、１８が形成されている。それら吸気空間１７、排気空間１８、１８は網体６が取り付けられた背面において外部と連通している。
【００１１】  吸気開口１３位置にはシーズヒータ（加熱器）１６、１６、１６、１６のそれぞれが隙間をおいて上下方向に４段配置され、その後方の吸気空間１７には前方に送風を行う送風ファン２０が設けられている。吸気開口１３、排気開口１４、１４それぞれには網体２２、２２、２２のそれぞれが取り付けられている。
【００１２】  図４は底板３の断面構成を示し、底板３はフラッシュ構造で、表面化粧がなされた外側の木質板３０と内側のアルミ板３２とがその間に木質芯材３５を挟むように一体に接着固定されて構成されている。アルミ板３２の表面は小さな凹凸が形成されることで乱反射加工面３３とされていて、シーズヒータ１６、１６、１６、１６からの熱線、紫外線ランプ１２からの紫外線を異なる方向に反射する。奥板７、天板２、両側板４、４、扉５ともこの底板３と同様の断面構成を備え、これにより、収納スペース１０の内面は全て乱反射加工面とされている。
【００１３】  以下、上記乾燥庫１の使用に伴う動作説明を行う。収納スペース１０の底板３上に複数個の「面」と「甲手」との被乾燥物品が並べ載置された状態において起動操作されると、シーズヒータ１６、１６、１６、１６のそれぞれ、送風ファン２０、紫外線ランプ１２、１２がともにＯＮする。これにより、一方では、吸気空間１７に吸い込まれた空気がシーズヒータ１６、１６、１６、１６それぞれで加熱されて収納スペース１０内に送り込まれるとともにシーズヒータ１６、１６、１６、１６からの熱線が収納スペース１０内に至り、収納スペース１０内が高温（５０℃程度）となって被乾燥物品の乾燥がなされるとともに熱線が被乾燥物品に照射されることで乾燥がなされる。収納スペース１０内で被乾燥物品から湿気が与えられた空気は、排気空間１８、１８を介して背面より外部に排出される。また、他方では紫外線ランプ１２、１２からの紫外線が被乾燥物品に照射され、これにより殺菌作用が発揮される。
【００１４】  その際収納スペース１０の内面が全てアルミ板よりなるので、その反射面で反射された熱線、紫外線も被乾燥物に照射され、これにより乾燥、防菌がともに良好になされる。とくに、反射面が乱反射加工面とされていることで収納スペース１０内には熱線、紫外線がランダムに飛び交う状態となり、これにより湾曲した立体形態を持つ「面」や「甲手」の被乾燥物品の表面にも満遍なく熱線、紫外線が照射され、その結果、乾燥、殺菌がさらに良好になされる。
【００１５】  上記の乾燥時には乾燥庫１内部は高温となるが、天板２、両側板４、４、扉５それぞれがフラッシュ構成で熱伝導性の低い木質芯材３５、木質板３０が用いられて構成されているので、外側の木質板３０は殆ど高温とならず、火傷するようなことは防がれる。
【図面の簡単な説明】
【００１６】
【図１】  この考案の乾燥庫の正面側斜視図
【図２】  この考案の乾燥庫の扉を取り外した状態の正面側斜視図
【図３】  この考案の乾燥庫の内部構成を示す平面構成図
【図４】  この考案の要部拡大断面図
【符号の説明】
【００１７】１      乾燥庫
１０    収納スペース
１２    紫外線ランプ（殺菌用照明器）
１６    シーズヒータ（加熱器）
３２    アルミ板（金属反射面）
【図１】
0003151829.tif 000003
【図２】
0003151829.tif 000004
【図３】
0003151829.tif 000005
【図４】
0003151829.tif 000006